【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
第１のポリマー性組成物を有する第１層であって、上記第１のポリマー性組成物と異なる第２のポリマー性組成物を有する第２層に包囲され、上記第２層と隣接する上記第１層を有するゴルフボールにおいて、
上記第１層および上記第２層の一方のみが、さらに、少なくとも１つのシラン含有接着助長剤を、０．１ｗｔ％から５．０ｗｔ％の量だけ全体に渡って有し、かつ、
上記第１層および上記第２層はたった１つのシラン含有助長剤によっても表面処理されないことを特徴とするゴルフボール。
【請求項２】
ゴルフボール製造方法において、
第１のポリマー性組成物を有する第１層を準備するステップと、
上記第１のポリマー性組成物と異なる第２のポリマー性組成物を有する第２層を、上記第１層に隣接させ、その周りに形成するステップとを有し、
上記第１層および上記第２層の一方のみが、さらに、少なくとも１つのシラン含有接着助長剤を、０．１ｗｔ％から５．０ｗｔ％の量だけ全体に渡って有し、かつ、
上記第１層および上記第２層はたった１つのシラン含有助長剤によっても表面処理されないことを特徴とするゴルフボール製造方法。
【手続補正２】
【補正対象書類名】明細書
【補正対象項目名】０００７
【補正方法】変更
【補正の内容】
【０００７】
この点に関して、シラン接着助長表面処理剤および結合層が隣接する異なる係合層の間で層間接着を改善することが知られている。例えば、本出願人による米国特許第６，９２６，６２１号（Ｌｕｔｚ等）を参照されたい。この内容は参照してここに組み入れる。そのような表面前処理では、シラン接着助長剤が、正味の（溶媒なし）または溶液中のものとして、１つの層の外側表面の周りに、第２の層と係合またはその他の結合を行う前に、露呈されまたは塗布される。シラン接着助長剤は、処理された層と、隣接する異なる層との間に強固な結合を形成するための反応性表面を実現する。しかしながら、シラン含有接着助長剤は、一旦使用され、塗布されると、好ましくない、制限された有効寿命しか有さず、そして、結合層の表面前処理または塗布を短い特定の時間枠のなかで成型しないと、これらのその間の適切な接着が実現できない。
【手続補正３】
【補正対象書類名】明細書
【補正対象項目名】０００９
【補正方法】変更
【補正の内容】
【０００９】
そのような付加的な処理ステップや関連する時間制約を伴うことなしに、シラン含有表面前処理および結合層によって、隣接する異なる層の間の良好な層間接着強度が形成されたゴルフボールに対する要請がある。そのようなゴルフボールは、ゴルフボール製造効率（例えば時間を節約する）および柔軟性を改善し、他方ゴルフボールの製造コストを削減するであろう。この発明のゴルフボールおよびゴルフボール製造方法はこのような要請に対処して解決するものである。
【手続補正４】
【補正対象書類名】明細書
【補正対象項目名】００１２
【補正方法】変更
【補正の内容】
【００１２】
上記第１層および上記第２層の一方のみが、さらに、少なくとも１つのシラン含有接着助長剤を、約０．１ｗｔ％から約５．０ｗｔ％の量だけ全体に渡って有し、かつ、上記第１層および上記第２層はたった１つのシラン含有助長剤によっても表面処理されない。
【手続補正５】
【補正対象書類名】明細書
【補正対象項目名】００２８
【補正方法】変更
【補正の内容】
【００２８】
有益なことに、シラン含有接着助長剤は第１層または第２層の中で全体に渡って分散している。このため、シランベースの接着助長剤を全体に渡って組み込んだ層が、中間層であり、この中間層が、当該中間層と、所定の態様で異なっている内側層および外側層の間に配されるとき、中間層と内側層との間だけでなく中間層と外側層との間にも同時に良好な接着が形成でき、これには多重な表面処理や多重な結合層、またはこれらの組み合わせを必要とすることがない。
【手続補正６】
【補正対象書類名】明細書
【補正対象項目名】００３１
【補正方法】変更
【補正の内容】
【００３１】
この発明は当該発明のゴルフボールを製造する方法にも向けられており、この方法は、第１のポリマー性組成物を有する第１層を準備するステップと；上記第１のポリマー性組成物と異なる第２のポリマー性組成物を有する第２層を、上記第１層に隣接させ、その周りに形成するステップとを有し；上記第１層および上記第２層の一方のみが、さらに、少なくとも１つのシラン含有接着助長剤を、約０．１ｗｔ％から約５．０ｗｔ％の量だけ全体に渡って有し、かつ、；上記第１層および上記第２層はたった１つのシラン含有助長剤によっても表面処理されない。第１層および第２層の間にはいずれの試案含有接着助長剤も結合層も配置されない。
【手続補正７】
【補正対象書類名】明細書
【補正対象項目名】００３３
【補正方法】変更
【補正の内容】
【００３３】
先に紹介したように、異なる、または非互換性の層から形成される多くの多層ゴルフボールでは、適切なカバー接着を確実にし、潜在的なせん断／切断問題を防止するために、カバー材料または他の外側層をオーバーモールドするのに先立って、コアまたはケーシング層を表面前処理し、または接着剤または接着助長剤を塗布する必要がある。この発明のゴルフボールは、有益なことに、また、コスト効率が良いことに、２つの異なる隣接ゴルフボール層の間の良好な接着性を実現でき、これには、その間に結合層を付加したり、第１層の周りに第２層を形成する前に第１層および第２層の１つの表面を前処理したりする製造ステップを付加する必要がない。
【手続補正８】
【補正対象書類名】明細書
【補正対象項目名】００３６
【補正方法】変更
【補正の内容】
【００３６】
シラン含有接着助長剤は例えば第１層組成物または第２層組成物のいずれかのマスターバッチに添加されて良い。代替的には、シラン含有接着助長剤は、第１組成物または第２組成物を形成する１または複数の含有物に予め混入され、その他組み合わされて良い。
【手続補正９】
【補正対象書類名】明細書
【補正対象項目名】００４１
【補正方法】変更
【補正の内容】
【００４１】
シラン含有接着助長剤は、例えば、オルガノシラン、オルガノシロキサン、および、これらお混合物を含んで良い。適切なシランの非制限的な例は、シランエステル；ビニルシラン；メタクリルオキシシラン；エポキシシラン；サルファーシラン；アミノシラン；ウレイドシラン；またはこれらの混合物を含む。好ましくは、シランは、シランエステル、オクチルトリエトキシシラン、メチルトリエトキシシラン、メチルトリメトキシシラン、非イオン性シラン分散剤；ビニルシラン、ビニルトリエトキシシラン、ビニルトリメトキシシラン、ビニル−ｔｒｉｓ−（２−メトキシエトキシ）シラン、ビニルメチルジメトキシシラン；メタクリルオキシシラン、γ−メタクリルオキシプロピルトリメトキシシラン；エポキシシラン、β−（３，４−エポキシシクロヘキシル）エチルトリメトキシシラン、γ−グリシドオキシプロピルトリメトキシシラン；サルファーシラン、γ−メルカプトプロピルトリメトキシシラン・プロプライエタリ・ポリスルフィドシラン、ビス−（３−［トリエトキシシリル］−プロピル）−テトラスルファン；γ−アミノプロピルトリエトキシシラン、アミノアルキルシリコーン溶液、修正されたアミノオルガノシラン、ｎ−β−（アミノエチル）−γ−アモノプロピルトリメトキシシラン、修正されたアミノオルガノシラン、修正されたアミノシラン、トリアミノ官能性シラン、ビス−（γ−トリメトキシリルプロピル）アミン、ｎ−フェニル−γ−アミノプロピルトリメトキシシラン、オルガノ修正ポリジメチルシロキサン、ポリアザミドシラン、ｎ−β−（アミノエチル）−γ−アミノプロピルメチルジメトキシシラン；ウレイドシラン、γ−ウレイドプロピルトリアルコキシシラン、γ−ウレイドプロピルトリメトキシシラン；イソシアネートシアン、γ−イソシアナトプロピルトリエトキシシラン；またはこれらの混合物を含む。
【手続補正１０】
【補正対象書類名】明細書
【補正対象項目名】００４３
【補正方法】変更
【補正の内容】
【００４３】
多数の実現可能な構造の例は以下のとおりである。１実施例において、この発明のゴルフボールは、少なくとも３つの層を具備して良く、すなわち、熱可塑性ポリウレタンカバーがアイオノマーまたはＨＮＰケーシング層を包囲してこれに隣接し、ケーシング層が１つまたは複数層の架橋ポリブタジエンコアを包囲する。他の実施例において、この発明のゴルフボールは少なくとも２つの層を有し、熱可塑性ポリウレタンカバーが、カバーと異なる１または複数の組成物からなる熱硬化性または熱可塑性コアの周りに形成される。
【手続補正１１】
【補正対象書類名】明細書
【補正対象項目名】００４４
【補正方法】変更
【補正の内容】
【００４４】
シラン含有接着助長剤は多数の態様で層に渡って組み込まれて良い。１実施例において、熱可塑性ポリウレタンのペレットが、シラン含有接着助長剤溶液中に、シラン含有接着助長剤がペレットに浸み込むのに十分な時間だけ漬けられて、そののちシラン浸漬熱可塑性ポリウレタンペレットを乾燥させる。シラン浸漬熱可塑性ポリウレタンペレットは次にアイオノマーのケーシングの上に射出成型され、その結果、２つの層の間に良好な接着が形成される。
【手続補正１２】
【補正対象書類名】明細書
【補正対象項目名】０１０９
【補正方法】変更
【補正の内容】
【０１０９】
この発明のゴルフボールは具体的な手段および材料を参照して説明されたけれども、この発明は開示された詳細に限定されず特許請求の範囲内のすべての均等物に及ぶことに留意されたい。
以下、ここで説明した技術的特徴を列挙する。
［技術的特徴１］
第１のポリマー性組成物を有する第１層であって、上記第１のポリマー性組成物と異なる第２のポリマー性組成物を有する第２層に包囲され、上記第２層と隣接する上記第１層を有するゴルフボールにおいて、
上記第１層および上記第２層の一方のみが、さらに、少なくとも１つのシラン含有接着助長剤を、約０．１ｗｔ％から約５．０ｗｔ％の量だけ全体に渡って有し、かつ、
上記第１層および上記第２層はたった１つのシラン含有助長剤によっても表面処理されないことを特徴とするゴルフボール。
［技術的特徴２］
上記少なくとも１つのシラン含有接着助長剤は、有機シランまたは有機シロキサンからなるグループから選択される技術的特徴１記載のゴルフボール。
［技術的特徴３］
上記少なくとも１つのシラン含有接着助長剤は、上記第１のポリマー性組成物または上記第２のポリマー性組成物のプレポリマ−と混合されて硬化剤と混合されるシラン含有プレポリマーを形成する技術的特徴１記載のゴルフボール。
［技術的特徴４］
上記少なくとも１つのシラン含有接着助長剤は、上記第１のポリマー性組成物または上記第２のポリマー性組成物の硬化剤と混合されてプレポリマーと混合されるシラン含有硬化剤を形成する技術的特徴１記載のゴルフボール。
［技術的特徴５］
上記第１層または上記第２層は、シラン含有マスターバッチと、上記第１のポリマー性組成物または上記第２のポリマー性組成物とを有する技術的特徴１記載のゴルフボール。
［技術的特徴６］
上記第１のポリマー性組成物または上記第２のポリマー性組成物は、上記第１のポリマー性組成物または上記第２のポリマー性組成物を有する少なくとも１つのペレットに、上記少なくとも１つのシラン含有接着助長剤を添加することにより、上記少なくとも１つのシラン含有接着助長剤と組み合わされる技術的特徴１記載のゴルフボール。
［技術的特徴７］
上記少なくとも１つのペレットは、上記少なくとも１つのシラン含有接着助長剤を有する溶液中に浸され、または漬けられる技術的特徴６記載のゴルフボール。
［技術的特徴８］
上記少なくとも１つのシラン含有接着助長剤は、かき混ぜて上記第１のポリマー性組成物または上記第２のポリマー性組成物と混合される技術的特徴１記載のゴルフボール。
［技術的特徴９］
上記第１層は上記少なくとも１つのシラン含有接着助長剤および上記第１のポリマー性組成物を有し、上記第２層は上記第２のポリマー性組成物を有し；上記第１のポリマー性組成物は、熱可塑性または熱硬化性ポリウレタン、尿素、ポリウレタン／尿素ハイブリッド、アイオノマー、ポリアミド、ポリエステル、またはゴムのうちの少なくとも１つを有し；上記第２のポリマー性組成物は、少なくとも１つの異なる熱可塑性または熱硬化性ポリウレタン、尿素、ポリウレタン／尿素ハイブリッド、アイオノマー、ポリアミド、ポリエステル、またはゴムを有する技術的特徴１記載のゴルフボール。
［技術的特徴１０］
上記第１層は上記第１のポリマー性組成物を有し、上記第２層は上記少なくとも１つのシラン含有接着助長剤および上記第２のポリマー性組成物を有し；上記第１のポリマー性組成物は、熱可塑性または熱硬化性ポリウレタン、尿素、ポリウレタン／尿素ハイブリッド、アイオノマー、ポリアミド、ポリエステル、またはゴムのうちの少なくとも１つを有し；上記第２のポリマー性組成物は、少なくとも１つの異なる熱可塑性または熱硬化性ポリウレタン、尿素、ポリウレタン／尿素ハイブリッド、アイオノマー、ポリアミド、ポリエステル、またはゴムを有する技術的特徴１記載のゴルフボール。
［技術的特徴１１］
上記第１のポリマー性組成物は非ポリウレタンの組成物であり、上記第２のポリマー性組成物はポリウレタン組成物である技術的特徴１記載のゴルフボール。
［技術的特徴１２］
上記第１のポリマー性組成物はポリウレタン組成物であり、上記第２のポリマー性組成物は非ポリウレタンの組成物である技術的特徴１記載のゴルフボール。
［技術的特徴１３］
上記非ポリウレタンの組成物はアイオノマーを有する技術的特徴１２記載のゴルフボール。
［技術的特徴１４］
上記第１のポリマー性組成物は非ゴムの組成物であり、上記第２のポリマー性組成物は異なる非ゴムの組成物である技術的特徴１記載のゴルフボール。
［技術的特徴１５］
上記第１層は、不透明、透明、および半透明の少なくとも１つであり、上記第２層は、透明および半透明の少なくとも１つである技術的特徴１記載のゴルフボール。
［技術的特徴１６］
上記第２層は、ポリブタジエンを有するコアを包囲する技術的特徴１記載のゴルフボール。
［技術的特徴１７］
上記少なくとも１つのシラン含有接着助長剤は少なくとも二つの官能基を有する技術的特徴１記載のゴルフボール。
［技術的特徴１８］
上記第２層は上記少なくとも１つのシラン含有接着助長剤を有し、当該第２層は、上記第２のポリマー性組成物と異なる第３のポリマー性組成物からなり、表面処理されず、また、少なくとも１つのシラン含有接着助長剤を含むことがない第３層により包囲され、上記第３層と隣接する技術的特徴１記載のゴルフボール。
［技術的特徴１９］
上記第１層は熱硬化性ポリウレタン、ポリ尿素またはポリウレタン／尿素ハイブリッドの組成物からなり、上記第２層はアイオノマー組成物を有し、上記第３層は熱可塑性ポリウレタン、ポリ尿素、またはポリウレタン／尿素ハイブリッドの組成物からなる技術的特徴１８記載のゴルフボール。
［技術的特徴２０］
ゴルフボール製造方法において、
第１のポリマー性組成物を有する第１層を準備するステップと、
上記第１のポリマー性組成物と異なる第２のポリマー性組成物を有する第２層を、上記第１層に隣接させ、その周りに形成するステップとを有し、
上記第１層および上記第２層の一方のみが、さらに、少なくとも１つのシラン含有接着助長剤を、約０．１ｗｔ％から約５．０ｗｔ％の量だけ全体に渡って有し、かつ、
上記第１層および上記第２層はたった１つのシラン含有助長剤によっても表面処理されないことを特徴とするゴルフボール製造方法。
［技術的特徴２１］
上記少なくとも１つのシラン含有接着助長剤は、有機シランまたは有機シロキサンからなるグループから選択される技術的特徴２０記載のゴルフボール製造方法。
［技術的特徴２２］
上記少なくとも１つのシラン含有接着助長剤は、上記第１のポリマー性組成物または上記第２のポリマー性組成物のプレポリマ−と混合されて硬化剤と混合されるシラン含有プレポリマーを形成する技術的特徴２０記載のゴルフボール製造方法。
［技術的特徴２３］
上記少なくとも１つのシラン含有接着助長剤は、上記第１のポリマー性組成物または上記第２のポリマー性組成物の硬化剤と混合されてプレポリマーと混合されるシラン含有硬化剤を形成する技術的特徴２０記載のゴルフボール製造方法。
［技術的特徴２４］
上記第１層または上記第２層は、シラン含有マスターバッチと、上記第１のポリマー性組成物または上記第２のポリマー性組成物とを有する技術的特徴２０記載のゴルフボール製造方法。
［技術的特徴２５］
上記第１のポリマー性組成物または上記第２のポリマー性組成物は、上記第１のポリマー性組成物または上記第２のポリマー性組成物を有する少なくとも１つのペレットに、上記少なくとも１つのシラン含有接着助長剤を添加することにより、上記少なくとも１つのシラン含有接着助長剤と組み合わされる技術的特徴２０記載のゴルフボール製造方法。
［技術的特徴２６］
上記少なくとも１つのペレットは、上記少なくとも１つのシラン含有接着助長剤を有する溶液中に浸され、または漬けられる技術的特徴２５記載のゴルフボール製造方法。
［技術的特徴２７］
上記少なくとも１つのシラン含有接着助長剤は、かき混ぜて上記第１のポリマー性組成物または上記第２のポリマー性組成物と混合される技術的特徴２０記載のゴルフボール製造方法。
［技術的特徴２８］
上記第１層は上記少なくとも１つのシラン含有接着助長剤および上記第１のポリマー性組成物を有し、上記第２層は上記第２のポリマー性組成物を有し；上記第１のポリマー性組成物は、熱可塑性または熱硬化性ポリウレタン、尿素、ポリウレタン／尿素ハイブリッド、アイオノマー、ポリアミド、ポリエステル、またはゴムのうちの少なくとも１つを有し；上記第２のポリマー性組成物は、少なくとも１つの異なる熱可塑性または熱硬化性ポリウレタン、尿素、ポリウレタン／尿素ハイブリッド、アイオノマー、ポリアミド、ポリエステル、またはゴムを有する技術的特徴２０記載のゴルフボール製造方法。
［技術的特徴２９］
上記第１層は上記第１のポリマー性組成物を有し、上記第２層は上記少なくとも１つのシラン含有接着助長剤および上記第２のポリマー性組成物を有し；上記第１のポリマー性組成物は、熱可塑性または熱硬化性ポリウレタン、尿素、ポリウレタン／尿素ハイブリッド、アイオノマー、ポリアミド、ポリエステル、またはゴムのうちの少なくとも１つを有し；上記第２のポリマー性組成物は、少なくとも１つの異なる熱可塑性または熱硬化性ポリウレタン、尿素、ポリウレタン／尿素ハイブリッド、アイオノマー、ポリアミド、ポリエステル、またはゴムを有する技術的特徴２０記載のゴルフボール製造方法。
［技術的特徴３０］
上記第２層は上記少なくとも１つのシラン含有接着助長剤を有し、当該第２層は、上記第２のポリマー性組成物と異なる第３のポリマー性組成物からなり、表面処理されず、また、少なくとも１つのシラン含有接着助長剤を含むことがない第３層により包囲され、上記第３層と隣接する技術的特徴２０記載のゴルフボール製造方法。
［技術的特徴３１］
上記第１層および上記第２層は、圧縮成形；射出成型；およびキャスティングからなるグループから選択される成型プロセスにより形成される技術的特徴２０記載のゴルフボール製造方法。
［技術的特徴３２］
上記第１のポリマー性組成物は非ゴムの組成物であり、上記第２のポリマー性組成物は異なる非ゴムの組成物である技術的特徴２０記載のゴルフボール製造方法。